(57)【特許請求の範囲】
【請求項１】
安全ネット（２）と足場（３）を接続するのに用いるテープ状器具であって、
１本のテープ（１）と、前記テープの両端近くに設けられ、使用時には互いに係合する雌雄一対のボタン（４（４ａ，４ｂ））からなり、
前記ボタンが方向性を有していて、安全ネット（２）側から前記ボタン（４）を引き剥がすときとその反対側から引き剥がすときとでは必要な力が異なっており、
使用時にネット側から来るボタン引き剥がし圧力に対してより強い抵抗を示すことを特徴とする建築現場用安全ネット接続具。
【請求項２】
安全ネット（２）と足場（３）を接続するのに用いるテープ状器具であって、
１本のテープ（１）と、前記テープの両端近くに設けられ、使用時には互いに係合する雌雄一対のボタン（４（４ａ，４ｂ））と、雌雄一対の第２ボタン（５（５ａ，５ｂ））の２種類を少なくとも有し、
中央側の第１ボタン（４（４ａ，４ｂ））が方向性を有していて、ネット側から前記ボタンを引き剥がすときとその反対側から引き剥がすときとでは必要な力が異なっており、
使用時にネット側から来るボタン引き剥がし圧力に対してより強い抵抗を示すことを特徴とする建築現場用安全ネット接続具。
【発明の詳細な説明】
【０００１】
【発明の属する技術分野】
本発明は建築現場において使用する安全ネット接続具に関する。
【０００２】
建築現場においては、作業員の墜落や使用機材の落下を防ぐために安全ネットが設けられるのが普通である。安全ネットは１枚で広範囲をカバーする場合もあるが、一定の面積を有するものを多数つなぎ合わせて使用する場合もある。本発明は後者のタイプにおいて安全ネット同士又は安全ネットと足場とをつなぎ合わせるために使用する接続具である。
【０００３】
【従来の技術】
この種の接続具として、従来は単に紐又はロープを使用していた。ロープで足場等と安全ネット縁部とをところどころで結んだり、両者を束ねて螺旋状に巻き付けている。
【０００４】
【発明が解決しようとする課題】
紐やロープを使用すると結び目をしっかり固定しなければならず、取り付けに手間と時間がかかるという欠点がある。接続箇所は、一工事現場で数十ないし数百もあるので全体として安全ネットを張るのは大変な労力と時間を要する。
【０００５】
本発明は安全ネットを張る時間と手間を大幅に省くことを目的とする。
【０００６】
【課題を解決するための手段】
本発明の建築現場用安全ネット接続具は、第１の観点では、安全ネットと足場を接続するのに用いるテープ状器具であって、１本のテープと、前記テープの両端近くに設けられ、使用時には互いに係合する雌雄一対のボタンからなり、前記ボタンが方向性を有していて、安全ネット側から前記ボタンを引き剥がすときとその反対側から引き剥がすときとでは必要な力が異なっており、使用時にネット側から来るボタン引き剥がし圧力に対してより強い抵抗を示すことを特徴とする。
【０００７】
第２の観点では、本発明の建築現場用安全ネット接続具は、安全ネット（２）と足場（３）を接続するのに用いるテープ状器具であって、１本のテープ（１）と、前記テープの両端近くに設けられ、使用時には互いに係合する雌雄一対のボタン（４（４ａ，４ｂ））と、雌雄一対の第２ボタン（５（５ａ，５ｂ））の２種類を少なくとも有し、中央側の第１ボタン（４（４ａ，４ｂ））が方向性を有していて、ネット側から前記ボタンを引き剥がすときとその反対側から引き剥がすときとでは必要な力が異なっており、使用時にネット側から来るボタン引き剥がし圧力に対してより強い抵抗を示すことを特徴とする。
【０００８】
【発明の実施の態様】
テープは、安全ネットを支持するに足る耐久性を持った材料である必要がある。通常、長さ約３０ｃｍ〜８０ｃｍ、幅約１〜５ｃｍの、十分耐久性を備えた織物やプラスチックから製造する。
【０００９】
前記第１の観点では雌雄一対のボタンを１個のみ使用し、第２の観点では少なくとも２個使用する。
【００１０】
第２の観点ににおいて、「第１ボタン」、「第２ボタン」というのは便宜上の呼称であり、中央側の雌雄一対のボタンを第１ボタンと呼び、両端側の雌雄一対のボタンを第２ボタンと呼ぶ。第１ボタンは、例えば、両端から約５〜１５ｃｍの所に位置しており、第２ボタンは、例えば、両端から約２〜１０ｃｍの所に位置している。
【００１１】
ボタンに方向性をもたせる技術はさまざまなものが公知である。以下の実施例では、皿状の受け部がテープを介して裏打ち材によりかしめられている雌部材において、受け部の先端は外方へ向かう膨らみを有し、この膨らみの中にばねが収容されていて、膨らみの一部が内側方向の延長片により閉鎖されているものを使用している。しかし、それ以外のものでももちろん使用可能である。本出願人も方向性を有するボタンを幾つか出願済みであり、例えば、次の公開公報記載の発明を使用することができる。
特開２０００−２７０９０６
特開２００１−８７１１
特開２００１−７８８０９
【００１２】
【実施例】
以下、添付の図面に基づき、本発明の実施例を説明する。
【００１３】
図１は、本発明の接続具１を使用して安全ネット２同士又は安全ネット２と足場３とをつなぎ合わせた状態の平面図である。図２（ａ）は本発明の接続具の接合面を示す正面図、図２（ｂ）はその裏面図である。図３は接合時の断面図である。
【００１４】
図１に示すように、本発明では安全ネット２同士又は安全ネット２と足場３とを一定間隔を置いて紐状の接続具１でつなぎ合わせる。通常、１０ｃｍ〜６０ｃｍ間隔で設定される。
【００１５】
接続具１は図２に示すような形状であり、（ａ）は接続面同士を正面から見た状態、（ｂ）はその裏面である。この接続具は、長さ約５０ｃｍ、幅約２ｃｍの、十分耐久性を備えた織物テープであり、両端１１側にボタンが２対設定されている。中央側の雌雄一対のボタンを第１ボタン４と呼び、両端側の雌雄一対のボタンを第２ボタン５と呼ぶ。第１ボタン４は両端から約１０ｃｍの所に位置しており、第２ボタン５は両端から約６ｃｍの所に位置している。雌雄第１ボタン４（４ａ，４ｂ）に挟まれたテープ部分１２は約３２ｃｍある。
【００１６】
この実施例では、第１ボタン４と第２ボタン５とでは雌雄ボタンの位置が逆であるが、その点については特に技術的な意味はない。
【００１７】
本発明の特徴は、第１ボタン４として、方向性のあるボタンを採用し、第２ボタン５として、通常のボタンを採用したことにある。
【００１８】
第１ボタン４の断面図を図３及び図４（ａ）に示す。雌部材４ａは、皿状の受け部４１がテープ１を介して裏打ち材４２によりかしめられている。受け部４１の先端は外方へ向かう膨らみ４３を有し、この膨らみの中にばね４４が収容されている。ばね４４は雄部材４ｂと係合するときに拡張して進入を許容し、進入し終わったら縮小して脱落を阻止すると共に係合位置を安定化させる。そのため、この膨らみ４３の内側は原則として開放されている。しかし、このボタンに方向性を持たせるために、膨らみの一部は内側方向の延長片４５により閉鎖されている。
【００１９】
この実施例では、延長片４５はテープの中央側に位置しており、その位置のばね４４は隠蔽されているので弾力性を発揮することができず、したがって、中央側から来るボタン引き剥がし圧力に対しては強い抵抗を示すが、末端側から来るボタン引き剥がし圧力には簡単に屈服する。
【００２０】
雄部材４ｂは、通常の形式のものであり、リング状突起４６がテープ１を介して裏打ち材４７によりかしめられている。
【００２１】
第２ボタン５は、その断面が図３及び図４（ｂ）に示されている。第２ボタン５は、雄部材５ｂも雌部材５ａも公知の形式のものである。第１ボタンとの相違は延長片が存在しないことであり、したがって、方向性は持たない。第２ボタンにおいて、第１ボタンと共通の部分は１０の位の「４」を「５」に代えた２桁番号で表している。第２ボタン５は、中央側から来るボタン引き剥がし圧力と無関係であるので、なくても本発明の効果は一応達成できる。しかし、これがないと、予期せぬ理由によりテープがねじれた場合などに方向性が狂い、中央側から来るボタン引き剥がし圧力に抵抗を示さない場合もありうるので、なるべく設けるべきである。
【００２２】
本発明の接続具の使用法は次の通りである。
【００２３】
安全ネット２同士又は安全ネット２と足場３とを接合するには、これらを近づけて、テープ部分１２で束ね、第１ボタン４及び第２ボタン５で閉鎖する。接合を解除するには、第２ボタン５及び第１ボタン４の順に開放する。この方向の場合には第１ボタンは簡単に外れる。
【００２４】
接合の仕方としては、雌雄第１ボタンに挟まれたテープ部分１２を横方向に広げる場合と縦方向に広げる場合の２種類がある。図１において、安全ネット２同士は縦方向に広げており、安全ネット２と足場３とは横方向に広げている。
【００２５】
【発明の効果】
本発明の接続具は、第１ボタンが方向性を有するので、ネット側から来る引き剥がし圧力に対しては第１ボタンが抵抗を示し、容易に引き剥がされない。しかも第２ボタンを設けたときには、第１ボタンの方向性が想定された方向から外れることがない。
【図面の簡単な説明】
【図１】  本発明の接続具を使用して安全ネット同士又は安全ネットと足場とをつなぎ合わせた状態の平面図である。
【図２】  図２（ａ）は本発明の接続具の接合面を示す正面図、図２（ｂ）はその裏面図である。
【図３】  図３は接合時の断面図である。
【図４】  （ａ）は第１ボタンの拡大断面図である。（ｂ）は第２ボタンの拡大断面図である。
【符号の説明】
１     テープ
２     安全ネット
４     第１ボタン
４ａ      雌ボタン
４ｂ      雄ボタン
５     第２ボタン
５ａ      雌ボタン
５ｂ      雄ボタン
【図１】
0003701879.tif 000002
【図２】
0003701879.tif 000003
【図３】
0003701879.tif 000004
【図４】
0003701879.tif 000005